(57)【要約】【課題】近距離にある被写体の輝度を均一にして撮影することができるリング状光源装置を有するカメラを提供する。【解決手段】リング状光源装置を有するカメラは、カメラ本体１００、支持体２２０及び複数の光源モジュール２３０を備える。カメラ本体１００には、光軸を有するレンズ１１０が設けられている。支持体２２０は、レンズ１１０を取り囲むようにカメラ本体１００に設けられ、外周壁２２２、内周壁２２４及び底壁２２６を有する。底壁２２６は、外周壁２２２及び内周壁２２４に接続される。底壁２２６と、外周壁２２２と、内周壁２２４とにより凹溝２２７が区画形成される。底壁２２６と、内周壁２２４とが鋭角をなす。光源モジュール２３０は、底壁２２６に設けられ、光軸に対して斜めの光線を投射する。【選択図】図１
0003170395.tif 000002
【実用新案登録請求の範囲】
【請求項１】
カメラ本体、支持体及び複数の光源モジュールを備えるリング状光源装置を有するカメラであって、
前記カメラ本体には、光軸を有するレンズが設けられ、
前記支持体は、前記レンズを取り囲むように前記カメラ本体に設けられ、外周壁、内周壁及び底壁を有し、前記底壁は、前記外周壁及び前記内周壁に接続され、前記底壁と、前記外周壁と、前記内周壁とにより凹溝が区画形成され、前記底壁と、前記内周壁とが鋭角をなし、
前記光源モジュールは、前記底壁に設けられ、前記光軸に対して斜めの光線を投射することを特徴とするリング状光源装置を有するカメラ。
【請求項２】
前記光源モジュールは、回路基板と、前記回路基板に設けられた複数の発光ダイオードと、を有することを特徴とする請求項１に記載のリング状光源装置を有するカメラ。
【請求項３】
前記発光ダイオードは、赤、緑及び青の三原色の光源を合わせた白色発光ダイオードであることを特徴とする請求項２に記載のリング状光源装置を有するカメラ。
【請求項４】
前記光源モジュールは、独立に制御され発光することを特徴とする請求項１に記載のリング状光源装置を有するカメラ。
【請求項５】
前記光源モジュールの前端に取り付けられる透光性保護キャップをさらに備えることを特徴とする請求項１に記載のリング状光源装置を有するカメラ。
【請求項６】
カメラ本体、支持体、複数の角度可変光源モジュール及び駆動機構を備えるリング状光源装置を有するカメラであって、
前記カメラ本体には、光軸を有するレンズが設けられ、
前記支持体は、前記レンズを取り囲むように前記カメラ本体に設けられ、
前記角度可変光源モジュールは、前記支持体に設けられ、必要に応じて光線の投射方向を変え、
前記駆動機構は、前記角度可変光源モジュールを駆動して光線の投射方向を変えるために用いられることを特徴とするリング状光源装置を有するカメラ。
【請求項７】
前記角度可変光源モジュールは、前記支持体に取り付けられる固定部材と、前記固定部材に枢着される揺動部材と、前記揺動部材に接続する回路基板と、前記回路基板に設けられる複数の発光ダイオードと、を有し、
前記回路基板は  前記駆動機構の駆動を受けて外向きに揺動することにより、前記回路基板に設けられた前記発光ダイオードが光線の投射方向を変えることを特徴とする請求項６に記載のリング状光源装置を有するカメラ。
【請求項８】
前記駆動機構は、鏡筒、移動鏡筒及びカム環を有し、
前記鏡筒は、前記支持体に外嵌して前記支持体と接続し、前記鏡筒には、前記光軸方向に延伸する複数のスライド溝が設けられ、
前記移動鏡筒は、前記支持体と前記鏡筒との間で、前記光軸方向に移動し、前記移動鏡筒は、リング体、係止ピン及び複数の摺動ピンを有し、前記係止ピンは、前記リング体から前記光軸方向に延設され、前記支持体に挿通し、前記揺動部材又は前記回路基板にそれぞれ当接し、前記摺動ピンは、前記リング体から外向きに突設され、前記スライド溝にそれぞれ貫通され、
前記カム環は、前記鏡筒に外嵌し、前記スライド溝と対応する複数のカム溝を有し、前記カム溝は、前記スライド溝の長手方向に対して斜行し、前記スライド溝に挿通された前記摺動ピンが、さらに前記カム溝に挿通され、
前記カム環が前記光軸回りの回転方向に回動することにより、前記カム溝が、前記摺動ピンを前記スライド溝内で前記光軸方向に移動させ、前記移動鏡筒の前記係止ピンが前記角度可変光源モジュールの前記回路基板と当接し、前記角度可変光源モジュールの光線の投射方向を変えることを特徴とする請求項７に記載のリング状光源装置を有するカメラ。
【請求項９】
前記支持体は略リング状であることを特徴とする請求項６に記載のリング状光源装置を有するカメラ。
【請求項１０】
前記角度可変光源モジュールは、前記揺動部材が常に内向きに角度を変えるように設けられる弾性部材を有することを特徴とする請求項６に記載のリング状光源装置を有するカメラ。
【請求項１１】
前記発光ダイオードには、赤、緑及び青の三原色の光源を合わせた白色発光ダイオードを用いることを特徴とする請求項６に記載のリング状光源装置を有するカメラ。
【請求項１２】
前記角度可変光源モジュールは、独立に制御され光線を投射することを特徴とする請求項６に記載のリング状光源装置を有するカメラ。
【請求項１３】
前記角度可変光源モジュールの前部に設けられるリング状透光保護キャップをさらに備えることを特徴とする請求項６に記載のリング状光源装置を有するカメラ。
【考案の詳細な説明】
【技術分野】
【０００１】
本考案は、光源装置に関し、特に、撮影に用いるリング状の光源装置を有するカメラに関する。
【背景技術】
【０００２】
マクロ撮影とは、被写体と撮影装置のレンズとの距離が３０ｃｍ以内であるときの撮影装置を用いた撮影のことである。近年、マクロ撮影は、動植物の生態撮影から、工業製品の高倍率による目視検査又は非破壊検査にまで応用されている。
【０００３】
マクロ撮影は、一般の撮影よりも被写体への照射が重要である。カメラ前部に設けられる以前のリング状フラッシュライトは、持続的に照射することができず、撮影する瞬間のみ発光するため、ユーザは、被写体を照射するフラッシュライトの光線が十分であるか否かを、撮影前に判断することができず、ユーザの経験に基づきレンズの絞り及び露光時間を調整する必要があるため、撮影の失敗率が高かった。
【０００４】
マクロ撮影に用いられる近年のリング状光源には、冷陰極蛍光ランプ（ＣＣＦＬ）又は発光ダイオード（ＬＥＤ）が用いられるが、持続的に照射することにより、ユーザは撮像前に被写体をプレビューすることができるものの、至近距離で撮像するとき、リング状光源が被写体に近づくため、被写体の中央が暗く、周辺が明るくなり、輝度が不均一になる虞がある。
【先行技術文献】
【特許文献】
【０００５】
【特許文献１】特開２００3−１７７４５４
【特許文献２】特開２００６−１８４４５０
【考案の概要】
【考案が解決しようとする課題】
【０００６】
本考案の目的は、近距離にある被写体の輝度を均一にして撮影することができるリング状光源装置を有するカメラを提供することにある。
【課題を解決するための手段】
【０００７】
上記課題を解決するために、本考案の第１の形態によれば、カメラ本体、支持体及び複数の光源モジュールを備えるリング状光源装置を有するカメラであって、前記カメラ本体には、光軸を有するレンズが設けられ、前記支持体は、前記レンズを取り囲むように前記カメラ本体に設けられ、外周壁、内周壁及び底壁を有し、前記底壁は、前記外周壁及び前記内周壁に接続され、前記底壁と、前記外周壁と、前記内周壁とにより凹溝が区画形成され、前記底壁と、前記内周壁とが鋭角をなし、前記光源モジュールは、前記底壁に設けられ、前記光軸に対して斜めの光線を投射することを特徴とするリング状光源装置を有するカメラが提供する。
【０００８】
また、前記光源モジュールは、回路基板と、前記回路基板に設けられた複数の発光ダイオードと、を有することが好ましい。
また、前記発光ダイオードは、赤、緑及び青の三原色の光源を合わせた白色発光ダイオードであることが好ましい。
また、前記光源モジュールは、独立に制御され発光することが好ましい。
また、前記光源モジュールの前端に取り付けられる透光性保護キャップをさらに備えることが好ましい。
【０００９】
上記課題を解決するために、本考案の第２の形態によれば、カメラ本体、支持体、複数の角度可変光源モジュール及び駆動機構を備えるリング状光源装置を有するカメラであって、前記カメラ本体には、光軸を有するレンズが設けられ、前記支持体は、前記レンズを取り囲むように前記カメラ本体に設けられ、前記角度可変光源モジュールは、前記支持体に設けられ、必要に応じて光線の投射方向を変え、前記駆動機構は、前記角度可変光源モジュールを駆動して光線の投射方向を変えるために用いられることを特徴とするリング状光源装置を有するカメラを提供する。
【００１０】
また、前記角度可変光源モジュールは、前記支持体に取り付けられる固定部材と、前記固定部材に枢着される揺動部材と、前記揺動部材に接続する回路基板と、前記回路基板に設けられる複数の発光ダイオードと、を有し、前記回路基板は  前記駆動機構の駆動を受けて外向きに揺動することにより、前記回路基板に設けられた前記発光ダイオードが光線の投射方向を変えることが好ましい。
【００１１】
また、前記駆動機構は、鏡筒、移動鏡筒及びカム環を有し、前記鏡筒は、前記支持体に外嵌して前記支持体と接続し、前記鏡筒には、前記光軸方向に延伸する複数のスライド溝が設けられ、前記移動鏡筒は、前記支持体と前記鏡筒との間で、前記光軸方向に移動し、前記移動鏡筒は、リング体、係止ピン及び複数の摺動ピンを有し、前記係止ピンは、前記リング体から前記光軸方向に延設され、前記支持体に挿通し、前記揺動部材又は前記回路基板にそれぞれ当接し、前記摺動ピンは、前記リング体から外向きに突設され、前記スライド溝にそれぞれ貫通され、前記カム環は、前記鏡筒に外嵌し、前記スライド溝と対応する複数のカム溝を有し、前記カム溝は、前記スライド溝の長手方向に対して斜行し、前記スライド溝に挿通された前記摺動ピンが、さらに前記カム溝に挿通され、前記カム環が前記光軸回りの回転方向に回動することにより、前記カム溝が、前記摺動ピンを前記スライド溝内で前記光軸方向に移動させ、前記移動鏡筒の前記係止ピンが前記角度可変光源モジュールの前記回路基板と当接し、前記角度可変光源モジュールの光線の投射方向を変えることが好ましい。
【００１２】
また、前記支持体は略リング状であることが好ましい。また、前記角度可変光源モジュールは、前記揺動部材が常に内向きに角度を変えるように設けられる弾性部材を有することが好ましい。
また、前記発光ダイオードには、赤、緑及び青の三原色の光源を合わせた白色発光ダイオードを用いることが好ましい。
また、前記角度可変光源モジュールは、独立に制御され光線を投射することが好ましい。
また、前記角度可変光源モジュールの前部に設けられるリング状透光保護キャップをさらに備えることが好ましい。
【考案の効果】
【００１３】
本考案のリング状光源装置を有するカメラによれば、近距離にある被写体の輝度を均一にして撮影することができる。また、光線の投射角度を変えることができるため、被写体を近距離で撮影するとき、被写体の距離に合わせて光線の投射方向を変え、効果的に被写体に光線を投射することができる。これにより、被写体の中心部が暗く、周辺部が明るくなり、輝度が不均一になるのを防ぐことができる。
【図面の簡単な説明】
【００１４】
【図１】本考案の第１実施形態によるリング状光源装置を有するカメラを示す分解斜視図である。
【図２】本考案の第１実施形態によるリング状光源装置を有するカメラを示す分解斜視図である。
【図３】本考案の第１実施形態によるリング状光源装置を有するカメラを示す平面図である。
【図４】本考案の第２実施形態によるリング状光源装置を有するカメラを示す分解斜視図である。
【図５】本考案の第２実施形態によるリング状光源装置を有するカメラを示す分解斜視図である。
【図６】本考案の第２実施形態によるリング状光源装置を有するカメラを示す分解斜視図である。
【図７】本考案の第２実施形態によるリング状光源装置を有するカメラを使用するときの状態を示す断面図である。
【図８】本考案の第２実施形態によるリング状光源装置を有するカメラを使用するときの状態を示す断面図である。
【考案を実施するための形態】
【００１５】
以下、本考案の実施形態について図に基づいて説明する。なお、これによって本考案が限定されるものではない。
（第１実施形態）
先ず、第１実施形態を図１及び図２を参照して説明する。
図１及び図２に示すように、本考案の第１実施形態によるリング状光源装置を有するカメラは、カメラ本体１００と、カメラ本体１００に設けられ、被写体に光線を投射するために用いるリング状光源装置２００と、を有する。カメラ本体１００には、光軸Ｉを有するレンズ１１０が設けられる。リング状光源装置２００は、支持体２２０及び複数の光源モジュール２３０を有する。
【００１６】
支持体２２０は、リング状のベースであり、レンズ１１０を取り囲むようにカメラ本体１００に設けられる。支持体２２０は、外周壁２２２、内周壁２２４及び底壁２２６を有する。底壁２２６は、外周壁２２２及び内周壁２２４に接続される。
底壁２２６と、外周壁２２２と、内周壁２２４とにより、光源モジュール２３０を収容するために用いる凹溝２２７が区画形成される。底壁２２６は、ネジ２４０を挿通することにより光源モジュール２３０を底壁２２６に螺着させるために用いる複数のネジ孔２２８を有する。
【００１７】
光源モジュール２３０は、凹溝２２７内に設けられ、独立に制御され発光することができ、回路基板２３２と、回路基板２３２に設けられた複数の発光ダイオード２３４と、を有する。回路基板２３２は、ネジ２４０を貫通するために用いる貫通孔２３６を有する。発光ダイオード２３４は、赤、緑及び青の三原色の光源を合わせた白色発光ダイオードであり、必要に応じてその他の色の発光ダイオードを用いて色を調整してもよい。
【００１８】
本考案の第１実施形態によるリング状光源装置を有するカメラは、透光性保護キャップ２５０をさらに有する。透光性保護キャップ２５０は、光源モジュール２３０の前部に取り付けられ、光源モジュール２３０が、外部の衝撃を受けて損傷するのを防ぐために用いられる。また、透光性保護キャップ２５０に顔料を添加することにより、光源モジュール２３０から投射される光線の色温度を変えてもよい。
【００１９】
図３をを参照して説明する。図３に示すように、本考案の第１実施形態では、支持体２２０の底壁２２６と、内周壁２２４とがなす角度θは、０〜９０度の鋭角である。角度θにより、凹溝２２７(図１参照)に螺着された光源モジュール２３０は、光軸Ｉに対して斜めの光線を投射するため、光線が光軸Ｉ上の特定の箇所に集中する。上述の構造によりマクロ撮影を行う際、被写体の中心部が暗く、周辺部が明るくなることがなく、輝度の差が生じない。
【００２０】
（第２実施形態）
次に、第２実施形態を図４及び図５をを参照して説明する。図４及び図５に示すように、本考案の第２実施形態によるリング状光源装置を有するカメラは、カメラ本体１００及びリング状光源装置３００を有する。リング状光源装置３００は、カメラ本体１００に設けられ、被写体に光線を投射するために用いる。カメラ本体１００には、光軸Ｉを有するレンズ１１０が設けられる。リング状光源装置３００は、支持体３２０と、支持体３２０に設けられた複数の角度可変光源モジュール３３０と、角度可変光源モジュール３３０を駆動して光線の投射方向を変えることができる駆動機構と、を有する。
【００２１】
駆動機構の主要部材は、支持体３２０と嵌合する鏡筒３４０と、支持体３２０と鏡筒３４０との間に設けられる移動鏡筒３５０と、鏡筒３４０に外嵌されるカム環３６０と、を有する。
【００２２】
支持体３２０は、略リング状であり、レンズ１１０の周辺を囲むようにカメラ本体１００に取り付けられる。支持体３２０には、レンズ１１０に周設される管状部３２１と、管状部３２１から外径方向に延設された延伸部３２２と、が設けられる。延伸部３２２には、角度可変光源モジュール３３０を設置するために用いる複数の設置面３２３が設けられる。
【００２３】
図４及び図６を参照して説明する。図４及び図６に示すように、角度可変光源モジュール３３０を駆動させることにより光線の投射方向を変えることができる。角度可変光源モジュール３３０は、支持体３２０に取り付けられる固定部材３３１と、ロッド３３４を介して固定部材３３１に枢着される揺動部材３３２と、揺動部材３３２に接続する回路基板３３３と、回路基板３３３に設けられる複数の発光ダイオード３３５と、を有する。
【００２４】
固定部材３３１は、ネジ孔３３７にネジ３３６が貫挿されることにより、支持体３２０に螺着される。発光ダイオード３３５には、赤、緑及び青の三原色の光源を合わせた白色発光ダイオードを用いることにより、被写体を照射するとき好ましい演色性を得ることができる。また、必要に応じてその他の色の発光ダイオードを用いて色を調整してもよい。
【００２５】
さらに、角度可変光源モジュール３３０は、独立に制御され光線を投射することができる。つまり、ユーザは撮影時の必要に応じて、光線を投射する角度可変光源モジュール３３０の数を任意に選択することができる。例えば、隣り合う３つの角度可変光源モジュール３３０を選択して光線を投射させることにより、ユーザの要望に合う被写体の陰影効果を得ることができる。
【００２６】
回路基板３３３は、駆動機構の駆動を受けて外向きに揺動することにより、回路基板３３３に設けられた発光ダイオード３３５が光線の投射方向を変えることができる。また、角度可変光源モジュール３３０は、ロッド３３４を嵌挿する弾性部材３３８をさらに有する。弾性部材３３８はバネであり、一方の端部が、固定部材３３１の凹溝３３１１内部に係合し、他方の端部が、揺動部材３３２の凹溝３３２１内部に係合することにより、揺動部材３３２は、常に内向きに角度を変える。
【００２７】
図４及び図５をを参照して説明する。図４及び図５に示すように、鏡筒３４０は、支持体３２０と嵌合する。本考案の第２実施形態では、鏡筒３４０と支持体３２０とは、対応するように設けられた鏡筒３４０のネジ孔３４１と、支持体３２０のネジ孔３２２１とに、ネジ（図示せず）を貫挿させることにより螺合する。鏡筒３４０には、光軸Ｉ方向に延伸する複数のスライド溝３４２が設けられる。本考案の第２実施形態では、スライド溝３４２の数は３つであるが、その他の実施形態では、２つ又は３つ以上設けられてもよい。
【００２８】
移動鏡筒３５０は、支持体３２０と鏡筒３４０との間で、光軸Ｉ方向に移動する。移動鏡筒３５０は、リング体３５１及び係止ピン３５３を有する。係止ピン３５３は、リング体３５１から光軸Ｉ方向に延設され、支持体３２０の延伸部３２２に挿通し、回路基板３３３にそれぞれ当接する。また、移動鏡筒３５０は、複数の摺動ピン３５２をさらに有する。摺動ピン３５２は、リング体３５１から外向きに突設され、スライド溝３４２にそれぞれ貫通される。
【００２９】
カム環３６０は、鏡筒３４０に外嵌し、スライド溝３４２と対応する複数のカム溝３６１を有する。カム溝３６１は、スライド溝３４２の長手方向に対して斜行し、スライド溝３４２に挿通された摺動ピン３５２が、さらにカム溝３６１に挿通される。
【００３０】
また、本考案のリング状光源装置を有するカメラは、カム環３６０に嵌合する絞り環３７０及び固定枠３７５をさらに有する。絞り環３７０は、ユーザが手動で容易に回動させることができる。固定枠３７５は、カム環３６０が外れて落下しないように固定するために用いる。
【００３１】
図７及び図８を参照して説明する。図７及び図８に示すように、絞り環３７０が回動するのに連動して、カム環３６０が光軸Ｉ回りの回転方向に回動し、カム溝３６１が、摺動ピン３５２をスライド溝３４２内で光軸Ｉ方向に移動させることにより、移動鏡筒３５０の係止ピン３５３が角度可変光源モジュール３３０の回路基板３３３と当接し、角度可変光源モジュール３３０の光線の投射方向を変える。これにより、光線の投射方向が、光軸Ｉに向くため、光線が光軸Ｉ上に集中する。上述の構造により、本考案のリング状光源装置を有するカメラは、近距離で被写体を撮影するときでも、被写体の輝度を均一にすることができる。
【００３２】
また、図５に示すように、本考案の第２実施形態によるリング状光源装置を有するカメラは、リング状透光保護キャップ３８０をさらに有する。リング状透光保護キャップ３８０は、角度可変光源モジュール３３０の前部に設けられ、角度可変光源モジュール３３０が外部の衝撃を受けて損傷するのを防ぐために用いる。さらに、リング状透光保護キャップ３８０に顔料を添加することにより、角度可変光源モジュール３３０の投射する光線の色温度を変えてもよい。
【００３３】
上述したことから分かるように、本考案のリング状光源装置を有するカメラは、光線の投射角度を変えることができるため、被写体を近距離で撮影するとき、被写体の距離に合わせて光線の投射方向を変え、効果的に被写体に光線を投射することができる。これにより、被写体の中心部が暗く、周辺部が明るくなり、輝度が不均一になるのを防ぐ。
【００３４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。
【符号の説明】
【００３５】
１００  カメラ本体
１１０  レンズ
２００  リング状光源装置
２２０  支持体
２２２  外周壁
２２４  内周壁
２２６  底壁
２２７  凹溝
２２８  ネジ孔
２３０  光源モジュール
２３２  回路基板
２３４  発光ダイオード
２３６  貫通孔
２４０  ネジ
２５０  透光性保護キャップ
３００  リング状光源装置
３２０  支持体
３２１  管状部
３２２  延伸部
３２３  設置面
３３０  角度可変光源モジュール
３３１  固定部材
３３２  揺動部材
３３３  回路基板
３３４  ロッド
３３５  発光ダイオード
３３６  ネジ
３３７  ネジ孔
３３８  弾性部材
３４０  鏡筒
３４１  ネジ孔
３４２  スライド溝
３５０  移動鏡筒
３５１  リング体
３５２  摺動ピン
３５３  係止ピン
３６０  カム環
３６１  カム溝
３７０  絞り環
３７５  固定枠
３８０  リング状透光保護キャップ
３２２１  ネジ孔
３３１１  凹溝
３３２１  凹溝
Ｉ  光軸
θ  角度
【図１】
0003170395.tif 000003
【図２】
0003170395.tif 000004
【図３】
0003170395.tif 000005
【図４】
0003170395.tif 000006
【図５】
0003170395.tif 000007
【図６】
0003170395.tif 000008
【図７】
0003170395.tif 000009
【図８】
0003170395.tif 000010